(57)【要約】      （修正有）【課題】釘やネジを使用せず家具部品に雄、雌留め具を簡単に固定でき、組立家具の設計の自由度も大きく、家具部品同士の連結および連結解除が、ワンタッチ操作で簡単かつ確実に行える組立連結具を提供する。【解決手段】組立連結具１０は、雄留め具１５と雌留め具１７とを有し、雄留め具には、外周面に回動操作板片２２が突設されて先端部に連結突起２５が設けられたロックバー２０を、本体ケーシング１９に回動自在に収納し、雌留め具は、連結突起の抜差し孔４０がロック端板３７に形成された本体スナップ３８を有し、家具部品の底板に雄留め具を取り付け、家具部品の左側板に雌留め具を取り付けて、回動操作板片２２を回動させることで、互いの家具部品を着脱自在に連結する。【選択図】図３
0003223390.tif 000002
【実用新案登録請求の範囲】
【請求項１】
組立家具の隣接する一方の家具部品に取り付けられる雄留め具と、該雄留め具に対応するとともに、隣接する他方の前記家具部品に取り付けられる雌留め具とを備え、隣接するこれらの家具部品同士を着脱自在に連結する組立連結具において、
前記雄留め具は、前記一方の家具部品に、開口部を露出して取り付けられる容器状の本体ケーシングを有し、該本体ケーシングには、前記開口部を通して操作可能な回動操作板片が外周面に突設されるとともに、前記本体ケーシングから外方へ突出する先端部に連結突起が設けられたロックバーが回動自在に収納され、
前記雌留め具は、前記他方の家具部品に取り付けられて、前記雄留め具との連結側に配されたロック端板に、前記連結突起の抜差し孔が形成された容器状の本体スナップを有し、
前記回動操作板を利用して前記ロックバーを回動操作することにより、前記抜差し孔から前記本体スナップの内部空間に差し込まれた前記連結突起を、この連結突起が前記抜差し孔に抜き差し自在なロック解除位置と、前記連結突起が前記抜差し孔から抜き差しできないロック位置との間で回動可能としたことを特徴とする組立連結具。
【請求項２】
前記本体ケーシングは、前記ロックバーの収納空間の一部が内部形成された第１の半割部と、前記ロックバーの収納空間の他部が内部形成された第２の半割部とが、ヒンジにより連結されたもので、
前記第１の半割部および前記第２の半割部の各分割面のうち、何れか一方には連結用凸部が形成されるとともに、残った他方には前記連結用凸部に対応する連結用凹部が形成され、
これらの半割部の何れかの開口部分には、前記連結突起がロック位置に達した際に、前記回動操作板片の先端部が収納される板片用切欠部が形成されたことを特徴とする請求項１に記載の組立連結具。
【請求項３】
前記連結突起は、前記ロックバーの長さ方向に直交する方向へ長い矩形ブロックで、
前記ロック端板の抜差し孔は、前記連結突起と同じ矩形状の孔で、
前記連結突起のロック位置は、前記抜差し孔に前記連結突起が差し込まれた状態で、この抜差し孔の長さ方向と直交状態となる回動位置であることを特徴とする請求項１又は請求項２に記載の組立連結具。
【請求項４】
前記ロックバーの外周面のうち、前記回動操作板片の突設側とは反対側の部分には、前記ロックバーの回り止め部材が差し込まれることにより、ロック解除位置に達した前記連結突起の回動を規制する回動規制凹部が形成されたことを特徴とする請求項１〜請求項３のうち、何れか１項に記載の組立連結具。
【考案の詳細な説明】
【技術分野】
【０００１】
この考案は、組立式の家具において、隣接する家具部品を着脱自在に連結する組立連結具に関する。
【背景技術】
【０００２】
近年、通信販売される家具は、輸送コストを削減してコストダウンを図るため、一般的に、家具を複数の家具部品に分解した組立式の家具として出荷している。これにより、購入者は自分で家具を組み立てる必要がある。
従前の組立式の家具は、隣接する家具部品を、釘やネジを使用して連結していた。
しかしながら、釘やネジを使用すれば、使用者の組み立て作業が難しく、組み立て時間も長くなっていた。また、いったん連結すれば簡単には分解できないため、例えば、連結する家具部品を取り違えた場合には、釘やネジを外す作業に、時間と労力が必要であった。
【０００３】
そこで、これを解消する従来技術として、例えば、特許文献１に記載された“家具用のコネクタ”が知られている。これは、結合ユニットと楔形ユニットとを利用し、隣接する家具部品をそれぞれ相対的な位置に着脱自在に連結するものである。これらのユニットは、相互に横スライドして嵌合できる形状（楔形）の凹溝と凸条とを有するとともに、各嵌合面に適度な傾斜を持たせている。
これにより、家具組立時には、結合ユニットと楔形ユニットとを横スライドして嵌合するだけで、隣接する部品同士を簡単に結合して家具を組み立てることができる。また、仮に、連結する家具部品を間違えたとしても、これらを反対方向に横スライドして外し、正しい家具部品の組み合わせで連結し直すことができる。
【先行技術文献】
【特許文献】
【０００４】
【特許文献１】登録実用新案第３０５６７９０号公報
【考案の開示】
【考案が解決しようとする課題】
【０００５】
しかしながら、特許文献１の“家具用のコネクタ”にあっては、家具工場において、各ユニットを対応する家具部品に取り付ける際に多数のビスを使用していた。そのため、家具部品の生産性が低下するとともに、横スライドするスペースがなければ家具部品の連結ができず、組立家具の設計の自由度が小さくなっていた。
【０００６】
そこで、考案者は鋭意研究の結果、組立連結具において、雄留め具と、対応する雌留め具とを有し、雄留め具には、外周面に回動操作板片が突設されて、先端部に連結突起が設けられたロックバーを、本体ケーシングに回動自在に収納し、雌留め具には、連結突起が抜き差しされる抜差し孔がロック端板に形成された本体スナップとを有し、連結したい家具部品の一方に雄留め具、他方に雌留め具を取り付けて、回動操作板片を回動させることで互いの家具部品を着脱自在に連結できるように構成すれば、上述した課題はすべて解消されることを知見し、この考案を完成させた。
【０００７】
本考案は、このような問題点に鑑みてなされたもので、釘やネジを使用することなく、対応する家具部品に雄、雌留め具を簡単に取り付けることができ、かつ雄、雌留め具の掛脱時にこれらの横スライドが不要で、組立家具の設計の自由度が大きいとともに、隣接する家具部品同士の連結および連結解除が、ワンタッチ操作によって簡単かつ確実に行うことができる組立連結具を提供することを目的としている。
【課題を解決するための手段】
【０００８】
請求項１に記載の考案は、組立家具の隣接する一方の家具部品に取り付けられる雄留め具と、該雄留め具に対応するとともに、隣接する他方の前記家具部品に取り付けられる雌留め具とを備え、隣接するこれらの家具部品同士を着脱自在に連結する組立連結具において、前記雄留め具は、前記一方の家具部品に、開口部を露出して取り付けられる容器状の本体ケーシングを有し、該本体ケーシングには、前記開口部を通して操作可能な回動操作板片が外周面に突設されるとともに、前記本体ケーシングから外方へ突出する先端部に連結突起が設けられたロックバーが回動自在に収納され、前記雌留め具は、前記他方の家具部品に取り付けられて、前記雄留め具との連結側に配されたロック端板に、前記連結突起の抜差し孔が形成された容器状の本体スナップを有し、前記回動操作板を利用して前記ロックバーを回動操作することにより、前記抜差し孔から前記本体スナップの内部空間に差し込まれた前記連結突起を、この連結突起が前記抜差し孔に抜き差し自在なロック解除位置と、前記連結突起が前記抜差し孔から抜き差しできないロック位置との間で回動可能としたことを特徴とする組立連結具である。
【０００９】
組立家具の種類は任意である。例えば、棚、本箱、ベッド、椅子、テーブル、テレビ台などが挙げられる。
組立家具の素材は任意である。例えば、各種の木、各種のプラスチック、各種の金属などを採用することができる。
雄留め具および雌留め具の構造および形状は、上述した各構成部品を具備して、それぞれの機能を果たせるものであれば任意である。
また、本体ケーシングおよび本体スナップの素材は限定されない。例えば、各種のプラスチック（ＦＲＰ樹脂（繊維強化プラスチック）、ＡＢＳ樹脂、ポリ塩化ビニル樹脂、ポリスチレン樹脂など）、各種の金属（鉄、ステンレス、アルミニウム合金など）などを採用することができる。ただし、プラスチックの方が、製造が容易で低コスト化が図れる。
【００１０】
一方の家具部品における雄留め具の取り付け位置は、他方の家具部品との連結部分であれば任意である。例えば、一方の家具部品の一端部でもよい。この場合には、例えば、一方の家具部品の一端に本体ケーシングと略同形状、略同サイズの雄留め具嵌入穴（切欠部、凹部）を形成し、この雄留め具嵌入穴に本体ケーシングを嵌入することにより、雄留め具を一方の家具部品に取り付けてもよい。
本体ケーシングの形状は、容器状であれば任意である。
本体スナップの形状は、容器状であれば任意である。筒状の場合、本体スナップのロック端板とは反対側の開口にキャップを装着してもよい。
本体スナップのうち、ロック端板より奥側の空間は、連結突起の回動空間となる。
他方の家具部品における雌留め具の取り付け位置は、一方の家具部品との連結部分であれば任意である。例えば、他方の家具部品の一端部でもよい。この場合には、例えば、他方の家具部品の一端部に、容器状の本体スナップと略同形状、略同サイズの雌留め具嵌入穴（切欠部、凹部）を形成し、この雌留め具嵌入穴に本体スナップを嵌入することにより、雌留め具を他方の家具部品に取り付けてもよい。
【００１１】
ロックバーの素材は任意であるが、各種の金属（鉄、ステンレス、アルミニウム合金など）が、剛性が高いために好ましい。
連結突起の形状は任意である。例えば、矩形ブロック状でも、十字ブロック状でもよい。
ロック端板に形成される抜差し孔の形状は、ロック解除位置に配された連結突起は抜き差し自在で、かつロック位置に配された連結突起の抜差し孔からの抜き出しは阻止可能な形状である。具体的な抜差し孔の形状は、連結突起の形状に応じて適宜変更される。
雄留め具と雌留め具との各外周面には、対応する家具部品の嵌入穴からの抜け止めをそれぞれ突設してもよい。
【００１２】
請求項２に記載の考案は、前記本体ケーシングは、前記ロックバーの収納空間の一部が内部形成された第１の半割部と、前記ロックバーの収納空間の他部が内部形成された第２の半割部とが、ヒンジにより連結されたもので、前記第１の半割部および前記第２の半割部の各分割面のうち、何れか一方には連結用凸部が形成されるとともに、残った他方には前記連結用凸部に対応する連結用凹部が形成され、
これらの半割部の何れかの開口部分には、前記連結突起がロック位置に達した際に、前記回動操作板片の先端部が収納される板片用切欠部が形成されたことを特徴とする請求項１に記載の組立連結具である。
【００１３】
第１，第２の半割部の素材は任意である。
第１，第２の半割部の形状は、連結時にロックバーの収納空間が現出可能であれば任意である。
連結凸部が形成されるのは第１の半割部でも、第２の半割部でもよい。また、連結凹部が形成されるのは、第１，第２の半割部のうち、連結凸部が形成されなかった残りの半割部である。
板片用切欠部は、雄留め具と雌留め具とのロック時（組立家具の使用時）に、ロック方向へ回動された回動操作板片の先端部を収納できれば、第１の半割部の開口部分に形成しても、第２の半割部の開口部分に形成してもよい。
【００１４】
ここでいう開口部分とは、本体ケーシングの開口部のうち、第１の半割部側の部分、又は、第２の半割部側の部分をいう。
板片用切欠部の形状も、回動操作板片の先端部が収納可能であれば任意である。
ヒンジの構造は任意である。例えば、雄留め具と雌留め具とが同一素材のプラスチック製の場合、ヒンジも同一素材の樹脂ヒンジとすることができる。
連結用凸部および連結用凹部の形状は、互いに掛止可能なものであれば任意である。
また、連結用凸部および連結用凹部の形成数も任意である。
【００１５】
請求項３に記載の考案は、前記連結突起は、前記ロックバーの長さ方向に直交する方向へ長い矩形ブロックで、前記ロック端板の抜差し孔は、前記連結突起と同じ矩形状の孔で、前記連結突起のロック位置は、前記抜差し孔に前記連結突起が差し込まれた状態で、この抜差し孔の長さ方向と直交状態となる回動位置であることを特徴とする請求項１又は請求項２に記載の組立連結具である。
【００１６】
矩形ブロックの各外周面は、連結突起を抜差し孔に容易に抜き差しできるように、それぞれガイド斜面としてもよい。
また、連結突起の先端面には、連結突起を抜差し孔にガイドする突起部を形成してもよい。突起部の形状は任意である。
【００１７】
請求項４に記載の考案は、前記ロックバーの外周面のうち、前記回動操作板片の突設側とは反対側の部分には、前記ロックバーの回り止め部材が差し込まれることにより、ロック解除位置に達した前記連結突起の回動を規制する回動規制凹部が形成されたことを特徴とする請求項１〜請求項３のうち、何れか１項に記載の組立連結具である。
【００１８】
ここでいう「ロックバーの外周面のうち、回動操作板片の突設側とは反対側の部分」とは、回動操作板片が本体ケーシングの内部空間で傾倒するロック解除時、開口部のうち、回動操作板片の傾倒側とは反対側の部分から露出したロックバーの外周面の一部分をいう。
回り止め部材の素材は限定されない。例えば、各種の木、各種のプラスチック、各種の金属などを採用することができる。
回り止め部材の形状は任意である。例えば、板材、棒材などを採用することができる。
回動規制凹部の形状は任意である。例えば、矩形状、円形状、楕円形状などでもよい。
回動規制凹部のサイズや形成数も任意である。
【考案の効果】
【００１９】
本考案の組立連結具によれば、まず、組立家具の隣接する一方の家具部品のうち、他方の家具部品との連結部分に雄留め具を取り付け、また他方の家具部品の対応する部分に雌留め具を取り付ける。このとき、雄留め具は、本体ケーシングの開口部を露出し、かつ連結突起を雌留め具の方へ突出させた状態で一方の家具部品に取り付けられる。また、雌留め具は、本体スナップのロック端板を露出した状態で他方の家具部品に取り付けられる。
隣接する家具部品同士の連結時には、連結突起をロック端板の抜差し孔に差し込み、その後、本体ケーシングの開口部から露出したロックバーの回動操作板片を、所定方向へ所定角度だけ回動操作することにより、本体スナップの内部空間で連結突起がロック位置まで回動する。こうして、隣接する家具部品同士が連結（掛止）される。
【００２０】
一方、両家具部品の連結解除時には、回動操作板片を、先ほどとは反対方向へ所定角度だけ回動操作する（戻す）。これにより、連結突起が、本体スナップの内部空間でロック解除位置（元の位置、抜差し孔への差し込み位置）まで回動する。その後、この状態を維持しながら、一方の家具部品を他方の家具部品から離反することで、連結突起が抜差し孔から引き抜かれ、家具部品同士の連結が解除される。
これにより、従来の家具用のコネクタでは、対応する家具部品への取り付け時に釘やネジを使用していたが、これらを使用することなく家具部品に雄、雌留め具を簡単に取り付けることができる。雄、雌留め具の連結および連結解除時にこれらの横スライドが不要で、組立家具の設計の自由度が大きいとともに、隣接する家具部品同士の連結および連結解除が、回動操作板片によるロックバーの回動というワンタッチの操作で簡単かつ確実に行うことができる。
【００２１】
特に、請求項２に記載の考案によれば、雄留め具が、ヒンジを介して第１，第２の半割部に二分割されているため、雄留め具の組立時にあっては、これらの内部空間にロックバーを収納（収容）し、この収納状態で、ヒンジを中心にして第１，第２の半割部を近づけ、最終的に連結用凸部と連結用凹部とを掛止することにより、これらの半割部が連結して一体化する。これにより、雄留め具の組み立てが容易になる。
また、これらの半割部の何れかの開口部分には、連結突起がロック位置に到達し、隣接する家具部品同士が連結されたとき、回動操作板片の先端部が、第１，第２の半割部のうち、何れかの開口部分に形成された板片用切欠部に収納される。その結果、組立家具の使用時、本体ケーシングの開口部から突出した回動操作板片の先端部が邪魔にならず、しかも、誤って回動操作板片に使用者の手や物が当接して、この回動操作板片がロック解除方向に回動することにより、使用者の意に反して雄留め具と雌留め具との連結が解除されるのを防止することができる。
【００２２】
また、請求項３に記載の考案によれば、隣接する家具部品同士の連結時には、矩形ブロックをロック端板の矩形状の抜差し孔に差し込み、その後、本体ケーシングの開口部から露出したロックバーの回動操作板片を、所定方向へ所定角度だけ回動操作する。これにより、本体スナップの内部空間において、連結突起が抜差し孔の長さ方向と直交状態となるロック位置まで回動する。
その結果、このロック状態において、仮に何らかの突発的な外力が組立連結具に作用したとしても、連結突起が抜差し孔から容易に引き抜かれて、隣接する家具部品同士の連結が解除されるおそれは少ない。
【００２３】
さらに、請求項４に記載の考案によれば、連結突起のロック解除時、回動操作板片は本体ケーシングの内部空間で傾倒する。この状態で、ロックバーの外周面のうち、回動操作板片の突設側とは反対側の部分に形成された回動規制凹部に、回り止め部材の先端部を開口部から差し込む。これにより、ロック解除位置に達した連結突起の回動が規制される。その結果、隣接する家具部品同士の当接に先駆けてなされる連結突起の抜差し孔への差し込みが容易となる。
【図面の簡単な説明】
【００２４】
【図１】本考案の実施例１に係る組立連結具の全体斜視図である。
【図２】本考案の実施例１に係る組立連結具の一部を構成する雄留め具の分解途中の状態を示す斜視図である。
【図３】本考案の実施例１に係る組立連結具の一部を構成する雄留め具の分解斜視図である。
【図４】本考案の実施例１に係る組立連結具の一部を構成するロックバーの拡大斜視図である。
【図５】本考案の実施例１に係る組立連結具の一部を構成する雄留め具と雌留め具との連結開始状態を示す全体斜視図である。
【図６】本考案の実施例１に係る組立連結具の一部を構成する雄留め具と雌留め具の連結状態を示す全体斜視図である。
【図７】本考案の実施例１に係る組立連結具を使用して、棚の一部を構成する隣接した棚板同士を連結する直前の状態を示す要部拡大断面図である。
【図８】本考案の実施例１に係る組立連結具を使用して、棚の一部を構成する隣接した棚板同士を連結した状態を示す要部拡大断面図である。
【図９】本考案の実施例１に係る組立連結具の一部を構成する雄留め具と雌留め具との他の使用形態における連結開始状態を示す全体斜視図である。
【考案を実施するための形態】
【００２５】
以下、この考案の実施例を具体的に説明する。ここでは、組立家具を組立棚とする。なお、説明の都合上、Ｘ１方向を組立棚の前方向、Ｘ２方向を組立棚の後方向、Ｙ１方向を組立棚の左方向、Ｙ２方向を組立棚の右方向、Ｚ１方向を組立棚の上方向、Ｚ２方向を組立棚の下方向とする。
【実施例】
【００２６】
図１および図７において、１０は本考案の実施例１に係る組立連結具である。この組立連結具１０は、組立棚（組立家具）１１に取り付けられる。組立棚１１は、底板（一方の家具部品）１２と、底板１２の上方にそれぞれ多段配置される複数枚の棚板と、これらの板材に隣接配置される左側板（他方の家具部品）１３と、右側板と、背板とをそれぞれ複数の組立連結具１０を介して着脱自在に連結したものである。
【００２７】
以下、組立連結具１０について説明する。ここでは、底板１２と左側板１３との間に配される１つの組立連結具１０についてのみ説明する。残った組立連結具１０も、同様の構造を有している。
組立連結具１０は、底板１２のＹ１側の端部に形成されて、平面視してＹ１側の端部が省かれた略円形状の雄側嵌入穴１４に嵌入される雄留め具１５と、左側板１３の下端部のＹ２側の面に切欠された、側面視して円形の雌側嵌入穴１６に嵌入される雌留め具１７とを備えている。
【００２８】
まず、図１〜図４および図７を参照して、雄留め具１５を詳細に説明する。
図１および図７に示すように、雄留め具１５は、開口部１８を上方（Ｚ１方向）に露出して、組立棚１１の底板１２の雄側嵌入穴１４に嵌入されるプラスチック製の容器状の本体ケーシング１９と、本体ケーシング１９に回動自在に収納されて、Ｙ１−Ｙ２方向に延びる金属製のロックバー２０とを有している。
図４に示すように、ロックバー２０は、円柱状の胴部２１と、胴部２１の外周面に一体形成されて、雄、雌留め具１５、１７のロック解除時に、Ｘ１方向へ４５°の上方傾斜状態となる回動操作板片２２と、胴部２１のＹ２側の端に一体形成された厚肉な基端フランジ２３と、胴部２１のＹ１側の端に一体形成された小径な延出部２４と、延出部２４のＹ１側の端に一体形成されて、ロック解除時に、長さ方向がＺ１−Ｚ２方向となる矩形ブロック状の連結突起２５とを有している。また、胴部２１の外周面には、ロック解除時にＸ２側となる部分に、Ｙ１−Ｙ２方向に長い回動規制凹部２６が形成されている。したがって、この回動操作板片２２がＸ１方向に配されるロック解除時において、この回動規制凹部２６は、開口部１８のＸ２側の部分である後述する第２の開口部分１８Ｂから露出している。
連結突起２５は、そのＹ２側の端部を除いた部分の各面が面取りされて、Ｙ１方向へ徐々にガイド斜面が形成されて先細り化している。この先細り部の狭い先端面には、短尺なガイド小片２５ａが一体形成されている。
【００２９】
本体ケーシング１９は、平面視してＹ１側の端部が省かれ、上面に上部フランジ２８付きの開口部１８が形成された略円形状の容器である。この本体ケーシング１９は、ロックバー２０の収納空間ｄのＸ１側の半分が内部形成され、かつ本体ケーシング１９のＸ１側の部分を構成する第１の半割部１９Ａと、ロックバー２０の収納空間ｄのＸ２側の半分が内部形成され、かつ本体ケーシング１９のＸ２側の部分を構成する第２の半割部１９Ｂとを、樹脂製のヒンジ２９により一体的に連結したものである。
【００３０】
まず、第１の半割部１９Ａについて具体的に説明する。
第１の半割部１９Ａには、その外周面のＸ１側の部分に、円弧状をした複数本の滑り止め突条３０が平行に多段形成されるとともに、開口部１８のＸ１側の半分となる第１の開口部分１８Ａには、上部フランジ２８のＸ１側の半分である平面視して略コの字状となった第１の半割フランジ２８Ａが一体形成されている。第１の半割フランジ２８ＡのＹ２側の端部は、Ｘ２方向へ向かって徐々に幅広となっている。
また、第１の半割部１９ＡのＹ２側の端部には、ロックバー２０の基端フランジ２３のＸ１側の半分を回動自在に収納する第１の基端フランジ収納溝３１Ａが形成されている(図３を参照)。さらに、第１の半割部１９ＡのＹ１側の端部には、ロックバー２０の延出部２４の基端部のＸ１側の部分を回動自在に収納する第１の延出部収納凹部３２Ａが形成されている。さらにまた、第１の半割部１９Ａの分割面１９ａの上端部のうち、Ｙ１−Ｙ２側の各端部には、後述する一対の連結用凸部３３に対応する一対の連結用凹部３４が形成されている。
【００３１】
次に、第２の半割部１９Ｂについて説明する。
第２の半割部１９Ｂには、その外周面のＸ２側の部分に、円弧状をした複数本の別の滑り止め突条３０が平行に多段形成されるとともに、開口部１８のＸ２側の半分となる第２の開口部分１８Ｂには、上部フランジ２８のＸ２側の半分である第２の半割フランジ２８Ｂが一体形成されている。第２の半割フランジ２８Ｂは、そのＹ２側の端部が、Ｘ１方向へ向かって徐々に幅広となっているとともに、そのＸ２側の端部が切除されることで、連結突起２５がロック位置ｂに達した際に、回動操作板片２２の先端部が収納される板片用切欠部３６が形成されている。
また、第２の半割部１９ＢのＹ２側の端部には、ロックバー２０の基端フランジ２３のＸ２側の半分を回動自在に収納する第２の基端フランジ収納溝３１Ｂが形成されている（図１および図７を参照）。さらに、第２の半割部１９ＢのＹ１側の端部には、ロックバー２０の延出部２４の基端部のＸ２側の部分を回動自在に収納する第２の延出部収納凹部３２Ｂが形成されている。さらにまた、第２の半割部１９Ｂの分割面１９ｂの上端部のうち、Ｙ１−Ｙ２側の各端部には、一対の連結用凹部３４に対応する一対の連結用凸部３３が形成されている。
【００３２】
この雄留め具１５の組立時には、まず、ロックバー２０の収納空間ｄにロックバー２０を収納する。このとき、基端フランジ２３が第１，第２の基端フランジ収納溝３１Ａ，３１Ｂに回動自在に収納されるとともに、連結突起２５をＹ１方向の外方に配した状態で、延出部２４が第１，第２の延出部収納凹部３２Ａ，３２Ｂに回動自在に収納され、回動操作板片２２の先端部は開口部１８の上方に配される。
その後、ヒンジ２９を中心にして、第１の半割部１９Ａと第２の半割部１９Ｂとを内方へ回動し、連結用凸部３３と連結用凹部３４とを嵌合させる。これにより、第１，第２の開口部分１８Ａ，１８Ｂにより開口部１８が形成されるとともに、この開口部１８の周囲に、第１，第２の半割フランジ２８Ａ，２８Ｂが連結された上部フランジ２８が現出される。こうして、第１，第２の半割部１９Ａ，１９Ｂが、互いの分割面１９ａ，１９ｂを当接した状態で連結されて、雄留め具１５が組み立てられる。
【００３３】
次いで、図１〜図３、図５および図７を参照して、雌留め具１７を詳細に説明する。
図１〜図３および図７に示すように、雌留め具１７は、左側板１３の下端部の雌側嵌入穴１６に、雄留め具１５との連結側であるＹ２側に配されたロック端板３７を露出して嵌入される円筒容器状の本体スナップ３８を有し、この本体スナップ３８のＹ１側の開口端を、円板状の蓋３９により塞いだものである。
このロック端板３７は厚肉な円板である。ロック端板３７には、Ｚ１−Ｚ２方向に延びる矩形状の抜差し孔４０が形成されている。抜差し孔４０は、ロック解除位置（長さ方向がＺ１−Ｚ２方向となる回動位置）ａに達した連結突起２５が抜き差しされる長孔である（図３、図５および図６を参照）。
また、本体スナップ３８の外周面には、長さ方向に所定ピッチで、リング状の滑り止め突条３５が複数本形成されている。本体スナップ３８の外周面のＸ１−Ｘ２側の各端部には、本体スナップ３８を雌側嵌入穴１６に嵌入した際の回り止め（位置決め）となる、Ｙ１−Ｙ２方向に延びた左右一対のストッパ突条４１がそれぞれ一体形成されている。
【００３４】
次に、図１〜図８を参照して、本考案の実施例１に係る組立連結具１０の使用方法を説明する。
まず、図７に示すように、雄留め具１５を組立棚１１の底板１２の雄側嵌入穴１４に嵌入する。このとき、上部フランジ２８は底板１２の上面に高さを揃えられ、また連結突起２５は底板１２のＹ１側の端面から外方へ突出している。
一方、雌留め具１７を、組立棚１１の左側板１３の下端部の雌側嵌入穴１６に嵌入する。このとき、ロック端板３７は、左側板１３のＹ２側の面に露出し、抜差し孔４０は、その長さ方向がＺ１−Ｚ２方向に配される。
【００３５】
その後、組立連結具１０を介して、底板１２と左側板１３とを連結する。具体的には、回動操作板片２２をＸ１方向へ指先操作し、回動操作板片２２の先端部が、第１の半割フランジ２８ＡのＸ１側の端部に当接するまでロックバー２０を回動させる（図５および図７を参照）。これにより、本体スナップ３８の内部空間ｃで連結突起２５が、抜差し孔４０への抜き差し可能なロック解除位置（長さ方向がＺ１−Ｚ２方向となる回動位置）ａに達する。
この状態を維持して、連結突起２５を抜差し孔４０に差し込みながら、底板１２のＹ１側の端面と、左側板１３の下端部のＹ２側の面とを当接させる。このとき、ガイド斜面(面取り面)とガイド小片２５ａとが、抜差し孔４０への連結突起２５の挿入ガイドとなる。
【００３６】
その後、回動操作板片２２をＸ２方向へ指先操作し、回動操作板片２２の先端部が、第２の半割フランジ２８ＢのＸ２側に形成された板片用切欠部３６に収納されるまでロックバー２０を回動させる（図６および図８を参照）。これにより、連結突起２５が、抜差し孔４０からの引き抜きが不可能なロック位置（長さ方向がＸ１−Ｘ２方向となる回動位置）ｂに達する。これにより、底板１２と左側板１３とが連結される。
次いで、組立棚１１において、それぞれ対応する底板１２と右側板、底板１２と背板、左右の側板と背板、左右の側板と各棚板、背板と各棚板とを、それぞれ所定数の組立連結具１０を使用し、同様の連結操作を行うことにより、この組立棚１１が組み立てられる。
【００３７】
なお、組立棚１１の分解時には、上述した操作を反対に行えばよい。すなわち、回動操作板片２２を、先ほどとは反対方向へ回動操作する。これにより、連結突起２５が本体スナップ３８の内部空間ｃでロック解除位置ａまで回動し、この状態を維持しながら、連結突起２５を抜差し孔４０から引き抜くことで、底板１２と左側板１３との連結が解除される。なお、その他の家具部品間における連結解除も同様である。
これにより、組立棚１１の隣接する家具部品（底板１２と左側板１３とを含む）同士の連結又は連結解除が、回動操作板片２２によるロックバー２０の回動というワンタッチの操作により、簡単かつ確実に行うことができる。また、従来の家具用のコネクタでは、組立棚１１の対応する家具部品間の連結時に釘やネジを使用していたが、これらを使用することなく家具部品に雄、雌留め具１５、１７を簡単に取り付けることができる。さらに、雄、雌留め具１５、１７の掛脱時には、従来品の場合のような雄、雌コネクタの横スライドが不要となるため、組立棚１１の設計の自由度が大きくなる。
【００３８】
また、雄留め具１５は、ヒンジ２９を介して第１，第２の半割部１９Ａ，１９Ｂに二分割されている。そのため、雄留め具１５の組立時にあっては、これらの内部空間にロックバー２０を収納（収容）し、この収納状態で、ヒンジ２９を中心にして第１，第２の半割部１９Ａ，１９Ｂを近づけ、最終的に連結用凸部３３と連結用凹部３４とを掛止する。こうして、両半割部１９Ａ，１９Ｂが連結して一体化することにより、雄留め具１５の組み立てが容易となる。
さらに、連結突起２５がロック位置ｂに達し、隣接する底板１２、左側板１３が連結されたとき、回動操作板片２２の先端部が、第２の半割部１９Ｂの開口部分１８Ｂに形成された板片用切欠部３６に収納される。その結果、組立棚１１の使用時において、本体ケーシング１９の開口部１８から突出した回動操作板片２２の先端部が邪魔にならず、しかも、誤って回動操作板片２２に使用者の手や物が当接し、この回動操作板片２２がロック解除方向に回動することにより、使用者の意に反して雄留め具１５と雌留め具１７との連結が解除されるのを防止できる。
【００３９】
さらに、隣接する家具部品１２，１３同士の連結時には、矩形ブロックである連結突起２５をロック端板３７の矩形状の抜差し孔４０に差し込み、その後、本体ケーシング１９の開口部１８から露出したロックバー２０の回動操作板片２２を、所定方向へ所定角度だけ回動操作する。これにより、本体スナップ３８の内部空間ｃにおいて、連結突起２５が抜差し孔４０の長さ方向と直交状態となるロック位置ｂまで回動する（図７および図８を参照）。その結果、このロック状態において、仮に何らかの突発的な外力が組立連結具１０に作用したとしても、連結突起２５が抜差し孔４０から容易に引き抜かれて、隣接する家具部品１２，１３同士の連結が解除されるおそれは少ない。
【００４０】
ところで、組立連結具１０は、様々な組立家具の家具部品同士を連結する際に使用可能なものである。そのため、例えば、図９に示すように、雄留め具１５を図示しないテレビ台の背板の左端部の内面に、雌留め具１７をこのテレビ台の左側板の奥側の端部の内面にそれぞれ取り付けて、背板と左側板とをそれぞれ組立連結具１０により着脱自在に連結するとき、抜差し孔４０に連結突起２５が抜き差しされるロック解除状態で、上下回動する回動操作板片２２の先端部が、上方に配されるように雄留め具１５が背板に取り付けられることがある。
【００４１】
このような場合、回動操作板片２２を自然放置すれば、回動操作板片２２は自重によりロックバー２０を中心として下方へ回動し、連結突起２５は抜差し孔４０の長さ方向と直交するロック位置ｂに配置されて、連結突起２５を抜差し孔４０に差し込むことができない。
そのため、背板と左側板とを連結する際には、一方の手の指先で回動操作板片２２を上方へ回動させた状態を保持しつつ、他方の手のみを使用して、慎重に連結突起２５を抜差し孔４０に差し込みながら背板と左側板とを連結しなければならず、テレビ台の組み立てが面倒となる。
【００４２】
そこで、このような場合には、回動操作板片２２の先端部が上方に配されるロック解除状態において、ロックバー２０の胴部２１の外周面のうち、第２の開口部分１８Ｂから露出した回動規制凹部２６に、回り止め板片（回り止め部材）２７の先端部を差し込む。これにより、回動操作板片２２の自重によるロックバー２０のロック解除方向への自然回動を規制する。よって、片手の指先で回動操作板片２２を固定しなくても、連結突起２５のロック解除状態を保持することができる。
【００４３】
その結果、このように抜差し孔４０に連結突起２５が抜き差しされるロック解除状態において、上下回動する回動操作板片２２の先端部が上方に配されるように雄留め具１５が、垂直な背板に取り付けられる場合であっても、背板と左側板とを容易に連結することができる。もちろん、回動規制凹部２６と回り止め板片２７とによるロックバー２０の回動規制は、このような背板と左側板との場合に限定されるものではなく、例えば、上述した底板１２と左側板１３との組立連結具１０による連結などのときにも適用することができる。
なお、連結突起２５のロック時には、この回り止め板片２７は回動規制凹部２６から引き抜いてロックされる。
【産業上の利用可能性】
【００４４】
この考案は、組立家具の隣接する家具部品同士を着脱自在に連結する組立連結具の技術として有用である。
【符号の説明】
【００４５】
１０  組立連結具
１１  組立棚（組立家具）
１２  底板（一方の家具部品）
１３  左側板（他方の家具部品）
１５  雄留め具
１７  雌留め具
１８  開口部
１８Ａ  第１の開口部分（開口部分）
１８Ｂ  第２の開口部分（開口部分）
１９  本体ケーシング
１９Ａ  第１の半割部
１９Ｂ  第２の半割部
１９ａ，１９ｂ  分割面
２０  ロックバー
２２  回動操作板片
２５  連結突起
２６  回動規制凹部
２７  回り止め板片（回り止め部材）
２９  ヒンジ
３３  連結用凸部
３４  連結用凹部
３６  板片用切欠部
３７  ロック端板
３８  本体スナップ
４０  抜差し孔
ａ  ロック解除位置
ｂ  ロック位置
ｃ  内部空間
ｄ  収納空間
【図１】
0003223390.tif 000003
【図２】
0003223390.tif 000004
【図３】
0003223390.tif 000005
【図４】
0003223390.tif 000006
【図５】
0003223390.tif 000007
【図６】
0003223390.tif 000008
【図７】
0003223390.tif 000009
【図８】
0003223390.tif 000010
【図９】
0003223390.tif 000011